(57)【要約】      （修正有）【課題】位置決め手段の損傷を防止し、画像形成装置への光学ユニットの装着を容易にする画像形成装置を提供する。【解決手段】位置決め手段１１０ａと複数の当接部１１０ｂとが設けられた光学ユニット１００と、画像形成装置に差し込み方向Ｘに差し込まれた光学ユニットが装着される装着部９１と、差し込み方向の奥側において光学ユニットを装着部に押圧する第１の押圧部１２６と、差し込み方向の手前側において光学ユニットを装着部に押圧する第２の押圧部１２１と、第２の押圧部により光学ユニットを装着部に押圧させるための第２の押圧部の移動に連動して、第１の押圧部により光学ユニットを装着部に押圧させる連動部材１２０、１２２、１２３、１２４、１２５と、を備えた。【選択図】図１
2016097513.tif 000002
【特許請求の範囲】
【請求項１】
画像形成装置であって、
位置決め手段と複数の当接部とが設けられた光学ユニットと、
前記画像形成装置に差し込み方向に差し込まれた前記光学ユニットが装着される装着部と、
前記差し込み方向の奥側において前記光学ユニットを前記装着部に押圧する第１の押圧部と、
前記差し込み方向の手前側において前記光学ユニットを前記装着部に押圧する第２の押圧部と、
前記第２の押圧部により前記光学ユニットを前記装着部に押圧させるための前記第２の押圧部の移動に連動して、前記第１の押圧部により前記光学ユニットを前記装着部に押圧させる連動部材と、
を備えた画像形成装置。
【請求項２】
前記位置決め手段により前記光学ユニットを前記画像形成装置に位置決めするときに、前記第１の圧部と前記第２の圧部は、前記光学ユニットを前記装着部に押圧しないように構成されている請求項１に記載の画像形成装置。
【請求項３】
前記第１の押圧部と前記第２の押圧部は、前記複数の当接部の近傍で前記光学ユニットを押圧する請求項１又は２に記載の画像形成装置。
【請求項４】
前記連動部材は、前記第１の押圧部と前記第２の押圧部を連結するリンク機構である請求項１乃至３のいずれか一項に記載の画像形成装置。
【請求項５】
前記第１の押圧部と前記光学ユニットとの間に配置された弾性部材を備え、
前記第２の押圧部は、弾性部材で形成されている請求項４に記載の画像形成装置。
【請求項６】
前記第１の押圧部と前記第２の押圧部は、前記差し込み方向に直交する互いに平行な２つの軸にそれぞれ支持されており、
前記第１の押圧部と前記第２の押圧部は、前記リンク機構によりそれぞれの軸を中心に互いに逆方向に回動させられる請求項４又は５に記載の画像形成装置。
【請求項７】
前記第１の押圧部と一体的に回動する第１のレバーと、
前記第２の押圧部と一体的に回動する第２のレバーと、
前記第１のレバーの端部と第２のレバーの端部とを連結する連結部材と、
を備える請求項６に記載の画像形成装置。
【請求項８】
前記連動部材は、前記第１の押圧部と前記第２の押圧部を連結する弾性部材を含む請求項１乃至３のいずれか一項に記載の画像形成装置。
【請求項９】
前記第１の押圧部と前記第２の押圧部は、可撓性部材で形成されている請求項８に記載の画像形成装置。
【請求項１０】
前記位置決め手段により前記光学ユニットを前記画像形成装置に位置決めするときに、前記第１の押圧部を前記光学ユニットから退避させる付勢手段を備え、
前記付勢手段の付勢力は、前記弾性部材の反力よりも小さい請求項８又は９に記載の画像形成装置。
【請求項１１】
前記光学ユニットは、
光ビームを出射する光源と、
前記光源から出射された前記光ビームが感光体の表面上を走査するように前記光ビームを偏向する偏向装置と、
前記光源および前記偏向装置を保持する筐体と、
を備えた光走査装置である請求項１乃至１０のいずれか一項に記載の画像形成装置。
【発明の詳細な説明】
【技術分野】
【０００１】
本発明は、光学ユニットを固定する固定機構を有する画像形成装置に関する。
【背景技術】
【０００２】
画像形成装置は、感光体の表面へレーザ光（以下、光ビームという。）を出射する光走査装置を有する。光走査装置は、光ビームを移動するスポットとして感光体の表面上に結像させて静電潜像を形成する。光源としての半導体レーザは、静電気や過電流等に非常に弱いため、光走査装置内の他の部品と比較して劣化しやすく故障率が高い。そこで、半導体レーザの故障等による光走査装置の交換またはメンテナンスの際に、光走査装置を容易に着脱できる画像形成装置がある。特許文献１は、光走査装置を画像形成装置の本体に対し差し込み、差し込み方向の奥側と手前側をネジ止め固定せずに弾性部材の弾性力により固定する画像形成装置を開示している。
【先行技術文献】
【特許文献】
【０００３】
【特許文献１】特開２００６−８５０５８号公報
【発明の概要】
【発明が解決しようとする課題】
【０００４】
上述の画像形成装置へ光走査装置を差し込む際に、光走査装置に設けられた２本の位置決めピンを画像形成装置の本体側に設けられた溝に突き当てることにより、光走査装置を画像形成装置の本体に対して位置決めする。このとき、光走査装置は、差し込み方向の奥側に配置された２つの板バネに係合して固定される。しかし、位置決めピンが溝に突き当たるより早い時点で、光走査装置は、奥側に配置された板バネと係合し板バネの反力を受ける。一般に、光走査装置は、画像形成装置の本体の取り付け面に３〜４ヶ所で当接して固定される。
【０００５】
一つの当接部あたりの押圧力は、５ｋｇｆ程度である。この押圧力により、光走査装置と本体の取り付け面との間および光走査装置と板バネとの間にそれぞれ摩擦力が発生する。一般に、静止摩擦係数は、０．１〜０．３程度であり、ここでの静止摩擦係数を０．２とすると、一つの当接部あたり５×０．２×２＝２ｋｇｆの摩擦力が発生する。光走査装置は、２つの板バネにより合計４ｋｇｆの摩擦力を受けることになる。このような摩擦力を受けながら光走査装置の位置決めピンを本体の溝に突き当てる作業は容易とはいえない。
【０００６】
光走査装置の光学箱が樹脂製の場合、光学箱の差し込み方向の奥側の部分が摩擦力を受けて動きにくい状態で手前側の部分に力を加えると、光学箱が変形してしまい内部の光学部品の調整が変化した状態で取り付けられてしまう。光学部品の調整が変化すると光学的な性能が保証できず画像が劣化する。また、取り付け作業中に位置決めピンが本体の溝の側面や縁部と擦れることにより位置決めピンが削られることがある。位置決めピンが削れた場合、本体内での光走査装置の位置が保証できず画像の幾何特性が劣化することになる。
【０００７】
そこで、本発明は、位置決め手段の損傷を防止し、画像形成装置への光学ユニットの装着を容易にする画像形成装置を提供する。
【課題を解決するための手段】
【０００８】
上記の課題を解決するために、画像形成装置は、
位置決め手段と複数の当接部とが設けられた光学ユニットと、
前記画像形成装置に差し込み方向に差し込まれた前記光学ユニットが装着される装着部と、
前記差し込み方向の奥側において前記光学ユニットを前記装着部に押圧する第１の押圧部と、
前記差し込み方向の手前側において前記光学ユニットを前記装着部に押圧する第２の押圧部と、
前記第２の押圧部により前記光学ユニットを前記装着部に押圧させるための前記第２の押圧部の移動に連動して、前記第１の押圧部により前記光学ユニットを前記装着部に押圧させる連動部材と、
を備えた。
【発明の効果】
【０００９】
本発明によれば、位置決め手段の損傷を防止し、画像形成装置への光学ユニットの装着を容易にすることができる。
【図面の簡単な説明】
【００１０】
【図１】実施例１の固定機構による光走査装置の固定動作を説明する図。
【図２】実施例１の固定機構の側面図。
【図３】本発明の第２の実施形態を示した斜視図。
【図４】本発明の第２の実施形態を示した側面図。
【図５】固定手段の動作を示した斜視図。
【図６】画像形成装置の断面図。
【図７】光走査装置を示す図。
【発明を実施するための形態】
【００１１】
以下、図面を参照して、本発明を実施するための形態を例示的に説明する。
【実施例１】
【００１２】
（画像形成装置）
図６は、画像形成装置１の断面図である。画像形成装置１は、電子写真画像形成プロセスを用いて、記録媒体に画像を形成する電子写真画像形成装置である。電子写真画像形成装置としては、例えば、電子写真複写機（例えば、デジタル複写機）、電子写真プリンタ（例えばカラーレーザビームプリンタ、カラーＬＥＤプリンタ等）、ＭＦＰ（複合機）、ファクシミリ装置、印刷機及びワードプロセッサがある。本実施例における画像形成装置１は、モノクロ画像を形成する複写機であるが、これに限るものではない。画像形成装置１は、カラー画像形成装置であってもよい。
【００１３】
画像形成装置１の本体２の上部に、複数枚の原稿を積載可能な原稿給紙装置２１と、副走査方向に移動可能に構成されている読取りユニット２４とが設けられている。原稿給紙装置２１は、積載されている原稿を順次原稿台ガラス２２上へ搬送する。読取りユニット２４は、ランプ２３により原稿を照明する。原稿からの反射光は、反射ミラー２５、２６及び２７を介してレンズ２８へ導かれる。レンズ２８は、原稿からの反射光をイメージセンサ部２９に結像させる。イメージセンサ部２９は、結像された光像を電気信号に変換する。イメージセンサ部２９は、電気信号に所定の処理を施した後、電気信号を画像信号として光走査装置（光学ユニット）１００へ出力する。
【００１４】
光走査装置１００は、感光ドラム（感光体）２００の上方に配置された載置部（支持体）９１上に固定されている。載置部９１は、本体２に固定されている。帯電装置３２は、感光ドラム２００の表面を均一に帯電する。光走査装置１００は、イメージセンサ部２９から入力された画像信号に基づきレーザ光（以下、光ビームという。）Ｌを出射する。光ビームは、均一に帯電された感光ドラム２００の表面上を走査し、感光ドラム２００上に画像信号に応じた潜像を形成する。感光ドラム２００上に形成された潜像は、現像器３０から供給されたトナーによりトナー像として可視像化される。
【００１５】
光ビームの出射開始と同期したタイミングで、カセット４１またはカセット４２からシート（記録媒体）Ｓが給紙される。シートＳは、搬送路を介して転写部４３へ搬送される。転写部４３は、感光ドラム２００上のトナー像をシートＳへ転写する。トナー像が転写されたシートＳは、定着部４４へ搬送される。定着部４４は、シートＳを加熱および加圧して、トナー像をシートＳ上に定着する。定着部４４を通過したシートＳは、排出ローラ対４５により本体２の外部へ排出される。転写後に、感光ドラム２００上に残ったトナーは、クリーニング装置３１により除去される。
【００１６】
（光走査装置）
次に、図７を参照して光走査装置１００を説明する。図７は、光走査装置１００を示す図である。図７（ａ）は、光走査装置１００の断面図である。図７（ｂ）は、光走査装置１００の構成要素を示す平面図である。光走査装置１００は、半導体レーザ（以下、光源という。）１０１と、偏向手段１０８と、光源１０１および偏向手段１０８を保持する光学箱（筐体）１１０とを有する。本実施例において、光学箱１１０は、樹脂材料からつくられている。
【００１７】
光源１０１は、イメージセンサ部２９から入力された画像信号に基づき光ビームＬを出射する。光源１０１から出射された光ビームＬは、コリメータレンズ１０２ａおよび１０２ｂによりほぼ平行光にされる。ほぼ平行光にされた光ビームＬは、絞り部材（不図示）を通過し、絞り部材により整形される。整形された光ビームＬは、副走査方向にのみパワーを有するシリンドリカルレンズ１０３に入射する。シリンドリカルレンズ１０３から出射した光ビームＬは、偏向手段１０８へ入射する。
【００１８】
偏向手段１０８は、回転多面鏡１０４と、回転多面鏡１０４を回転させるモータ１０５とを有する。光ビームＬは、回転多面鏡１０４の反射面の近傍で主走査方向に長い線像として結像し、モータ１０５により回転される回転多面鏡１０４により主走査方向に光ビームＬが偏向される。偏向された光ビームＬは、第１走査レンズ１０６ａ及び第２走査レンズ１０６ｂを介して集光され、反射鏡１０７により像担持体としての感光ドラム２００に導かれる。光ビームＬは、スポットとして略等速で感光ドラム２００上を走査する。このように、偏向手段１０８は、光源１０１から出射された光ビームＬが感光ドラム２００の表面上を走査するように光ビームＬを偏向し、感光ドラム２００の表面上に潜像を形成する。
【００１９】
光走査装置１００は、画像形成装置１の本体２に差し込んで載置部（装着部）９１に着脱可能に装着される。画像形成装置１の本体２に対する光走査装置１００の着脱作業は、図６において本体２の右側から行う。図６の矢印Ｘで示す差し込み方向に光走査装置１００を本体２に差し込み、光走査装置１００を本体２に装着する。
【００２０】
（光走査装置の固定機構）
次に、図１および図２を参照して、実施例１の固定機構１４０を説明する。図１は、実施例１の固定機構１４０による光走査装置１００の固定動作を説明する図である。図１（ａ）は、載置部９１への光走査装置１００の非固定状態（着脱可能状態）を示している。光走査装置１００は、手前側ＮＳ（図１（ａ）の右上）から奥側ＦＳ（図１（ａ）の左下）へ向けて差し込み方向Ｘに差し込まれる。図１（ｂ）は、非固定状態における光走査装置１００と固定機構１４０を手前側ＮＳから見た斜視図である。図１（ｃ）は、固定状態における光走査装置１００と固定機構１４０を手前側ＮＳから見た斜視図である。図２は、実施例１の固定機構１４０の側面図である。図２（ａ）は、非固定状態における光走査装置１００と固定機構１４０の側面図である。図２（ｂ）は、固定状態における光走査装置１００と固定機構１４０の側面図である。
【００２１】
二つの位置決めピン（位置決め手段）１１０ａは、光走査装置１００の樹脂製の光学箱１１０の差し込み方向Ｘの手前側ＮＳの底部に設けられている。４つの取り付け座面（基準当接部）１１０ｂは、光学箱１１０の底部に設けられている。２つの取り付け座面１１０ｂは、位置決めピン１１０ａの近傍で光学箱１１０の差し込み方向Ｘの手前側ＮＳの底部に設けられている。２つの取り付け座面１１０ｂは、光学箱１１０の差し込み方向Ｘの奥側ＦＳの底部に設けられている。複数の位置決めピン１１０ａ及び複数の取り付け座面１１０ｂの数は、これらに限定されるものではない。取り付け座面１１０ｂの数は、３つまたは５つ以上であってもよい。
【００２２】
図１（ａ）に示すように、光走査装置１００が取り付けられる載置部９１の載置面（基準面）９１ｂには、２つの位置決め穴９１ａが設けられている。光学箱１１０の位置決めピン１１０ａを位置決め穴９１ａに挿入することにより、光走査装置１００を載置面９１ｂと平行な方向において画像形成装置１の本体２に対して位置決めする。光学箱１１０の取り付け座面１１０ｂを載置面９１ｂ上に当接することにより、光走査装置１００を載置面９１ｂに垂直な方向において画像形成装置１の本体２に対して位置決めする。
【００２３】
光学箱１１０の差し込み方向Ｘの奥側ＦＳの端部に２つの奥側固定部１１０ｃが設けられている。板バネ（弾性部材）１１１は、奥側固定部１１０ｃ上に配置されている。本実施例において、取り付け座面１１０ｂは、奥側固定部１１０ｃの底部に設けられている。光学箱１１０の差し込み方向Ｘの手前側ＮＳの端部に２つの手前側固定部１１０ｄが設けられている。本実施例において、位置決めピン１１０ａ及び取り付け座面１１０ｂは、手前側固定部１１０ｄの底部に設けられている。
【００２４】
固定機構１４０は、２つの奥側固定部材（第１の押圧部）１２６と、２つの手前側固定部材（第２の押圧部）１２１と、奥側固定部材１２６と手前側固定部材１２１を連動させる連動部材（リンク機構）とからなる。連動部材は、軸１２０、レバー１２２、連結部材１２３、レバー１２４及び軸１２５からなる。軸１２０及び軸１２５は、差し込み方向Ｘに直交し、互いに平行である。手前側固定部材１２１は、レバー（第２のレバー）１２２とともに軸１２０に一体的に固定されている。軸１２０は、載置部９１に関して回動可能に載置部９１または本体２により支持されている。奥側固定部材１２６は、レバー（第１のレバー）１２４とともに軸１２５に一体的に固定されている。軸１２５は、軸１２０と同様に、載置部９１に関して回動可能に載置部９１または本体２により支持されている。固定機構１４０は、光走査装置１００の底部と重ならないように側方に配置されている。
【００２５】
レバー１２２の一端部は、軸１２０に固定され、レバー１２２の他端部は、連結部材１２３の一端部に回動可能に取り付けられている。レバー１２４の一端部は、軸１２５に固定され、レバー１２４の他端部は、連結部材１２３の他端部に回動可能に取り付けられている。連結部材１２３は、レバー１２２の他端部とレバー１２４の他端部を連結する。図２（ａ）において、手前側固定部材１２１およびレバー１２２は、軸１２０に関し反時計方向ＣＣＷに回動した位置にある。手前側固定部材１２１およびレバー１２２が反時計方向ＣＣＷに回動すると、レバー１２２により連結部材１２３が左方へ変位し、レバー１２４および奥側固定部材１２６を軸１２５に関して時計方向ＣＷに回動させる。手前側固定部材１２１と奥側固定部材１２６は、連結部材によりそれぞれの軸１２０及び軸１２５を中心に互いに逆方向に回動させられる。
【００２６】
図１（ａ）に示すように、載置部９１は、奥側固定部材１２６を通す開口９１ｃが奥側ＦＳの載置面９１ｂに設けられている。図２（ａ）に示す状態において、光走査装置１００の奥側ＦＳに配置された板バネ１１１は固定部材１２６と係合していない。従って、光学箱１１０の取り付け座面１１０ｂと載置部９１の間および板バネ１１１と固定部材１２６の間に、板バネ１１１の反力による摩擦力は、発生していない。このとき、取り付け座面１１０ｂと載置部９１の間に光走査装置１００の自重による摩擦力が発生する。静止摩擦係数を０．２とし、光走査装置１００の自重を２ｋｇｆとすると、４つの取り付け座面１１０ｂの全体で２×０．２＝０．４ｋｇｆの摩擦力が発生する。光走査装置１００の自重による摩擦力０．４ｋｇｆは、前述した板バネによる摩擦力４ｋｇｆに比べて十分に小さいので、載置部９１上で光走査装置１００の位置決め作業を行うことの支障にはならない。また、光走査装置１００の取り付け作業において光学箱１１０が変形することを防止し、位置決めピン１１０ａを位置決め穴９１ａに入れる際に位置決めピン１１０ａが削れて損傷することを防止できる。
【００２７】
次に、図２（ｂ）に示すように、手前側固定部材１２１を軸１２０に関して時計方向ＣＷに回動させると、手前側固定部材１２１が光学箱１１０の手前側固定部１１０ｄに係合する。手前側固定部材１２１は、板バネ（弾性部材）により形成されているので、手前側固定部材１２１は、手前側固定部１１０ｄを押圧して取り付け座面１１０ｂを載置部９１の載置面９１ｂに押しつける。手前側固定部材１２１は、取り付け座面１１０ｂの反対側から又はその近傍で光走査装置１００を載置部９１に押圧する。手前側固定部材１２１とともにレバー１２２が時計方向ＣＷに回動し、レバー１２２により連結部材１２３が右方へ変位し、レバー１２４および奥側固定部材１２６を軸１２５に関して反時計方向ＣＣＷに回動させる。このとき、奥側固定部材１２６は、板バネ１１１と係合する。板バネ１１１の反力は、奥側固定部１１０ｃを押圧して取り付け座面１１０ｂを載置部９１の載置面９１ｂに押しつける。奥側固定部材１２６は、取り付け座面１１０ｂの反対側から又はその近傍で光走査装置１００を載置部９１に押圧する。この状態で、手前側固定部材１２１が反時計方向ＣＣＷに回動しないように、手前側固定部材１２１をビス１３０により光学箱１１０に固定する。このようにして、光走査装置１００は、固定機構１４０により載置部９１に固定される。
【００２８】
本実施例において、板バネ１１１は、差し込み方向Ｘにおける奥側ＦＳの奥側固定部１１０ｃに取り付けられている。しかし、板バネ１１１は、奥側固定部材１２６に取り付けられていてもよい。また、奥側固定部材１２６を、手前側固定部材１２１と同様に板バネで形成してもよい。
【００２９】
本実施例によれば、画像形成装置１に対し光走査装置１００を位置決めした後、固定機構１４０は、手前側固定部材１２１による手前側固定部１１０ｄの押圧動作に連動して奥側固定部材１２６により奥側固定部１１０ｃを押圧させることができる。すなわち、固定機構１４０の連動部材は、手前側固定部材１２１により光走査装置１００を載置部９１に押圧させるための手前側固定部材１２１の移動に連動して、奥側固定部材１２６により光走査装置１００を載置部９１に押圧させる。固定機構１４０により手前側固定部材１２１と奥側固定部材１２６を同時に固定することができるので、光走査装置１００の着脱作業性が良く、位置決めピン１１０ａの損傷も防止できる。
【実施例２】
【００３０】
次に、図３、図４及び図５を用いて実施例２を説明する。実施例２において、実施例１と同様の構造には同様の参照符号を付して説明を省略する。実施例２の画像形成装置および光走査装置は、実施例１と同様であるので説明を省略する。実施例２は、実施例１と固定機構が異なる。以下、主に異なる点を説明する。
【００３１】
（光走査装置の固定機構）
図３は、実施例２の固定機構２４０による光走査装置１００の固定動作を説明する図である。図３（ａ）は、載置部９１への光走査装置１００の非固定状態（着脱可能状態）を示している。光走査装置１００は、手前側ＮＳ（図３（ａ）の右上）から奥側ＦＳ（図３（ａ）の左下）へ向けて差し込み方向Ｘに差し込まれる。図３（ｂ）は、固定状態における光走査装置１００と固定機構２４０を奥側ＦＳから見た斜視図である。実施例２の載置部９１は、実施例１の載置部９１に設けられている開口９１ｃの代わりに、後述する奥側固定部材１７０を通す開口９１ｄ及び後述する手前側固定部材１７２を通す開口９１ｅが設けられている。実施例２の載置部９１は、２つの位置決め穴９１ａ及び載置面（基準面）９１ｂを有する点で、実施例１の載置部９１と同様である。
【００３２】
図４は、実施例２の固定機構２４０の側面図である。図４（ａ）は、非固定状態における光走査装置１００と固定機構２４０の側面図である。図４（ｂ）は、固定状態における光走査装置１００と固定機構２４０の側面図である。図５は、実施例２の固定機構２４０の斜視図である。図５（ａ）は、非固定状態における固定機構２４０の斜視図である。図５（ｂ）は、固定状態における固定機構２４０の斜視図である。
【００３３】
固定機構２４０は、奥側固定部材（第１の押圧部）１７０と、手前側固定部材（第２の押圧部）１７２と、奥側固定部材１７０と手前側固定部材１７２を連動させる連動部材（ワイヤ機構）とからなる。連動部材は、奥側固定部材１７０と手前側固定部材１７２の全部または一部を構成するワイヤ部材が巻きかけられる複数の滑車（回転体）１７３と、奥側固定部材１７０と手前側固定部材１７２を接続する１つ又は複数の引っ張りバネ（弾性部材）１７１とからなる。固定機構２４０は、光走査装置１００の下方で、載置部９１の開口９１ｄから開口９１ｅへ載置部９１の裏面側に延在している。
【００３４】
奥側固定部材１７０は、差し込み方向Ｘの奥側ＦＳで光学箱１１０の奥側固定部１１０ｃに係合可能および離脱可能に構成されている。手前側固定部材１７２は、差し込み方向Ｘの手前側ＮＳで光学箱１１０の手前側固定部１１０ｄに係合可能および離脱可能に構成されている。本実施例において、奥側固定部材１７０と手前側固定部材１７２は、いずれも全長が一定で形状が自由に変化可能なワイヤ部材（可撓性部材）である。奥側固定部材１７０の一端部と手前側固定部材１７２の一端部は、引っ張りバネ１７１により接続されている。同様に、奥側固定部材１７０の他端部と手前側固定部材１７２の他端部は、引っ張りバネ１７１により接続されている。奥側固定部材１７０、手前側固定部材１７２および引っ張りバネ１７１は、細長い部材で形成されているので、光走査装置１００から感光ドラム２００へ出射される光ビームＬの光路外に配置することができる。よって、固定機構２４０は、光走査装置１００の下方に配置されていても、潜像形成に影響しない。
【００３５】
滑車１７３は、光学箱１１０の４つの取り付け座面１１０ｂの近傍で載置部９１又は本体２回動可能に支持されている。滑車１７３は、ワイヤ状の奥側固定部材１７０及び手前側固定部材１７２の位置規制と方向変換を行う案内部材である。滑車１７３の代わりに、ワイヤ状の奥側固定部材１７０及び手前側固定部材１７２を摺動移動可能に支持する円筒体等の案内部材を使用してもよい。
【００３６】
図３（ａ）において、光学箱１１０の位置決めピン１１０ａを位置決め穴９１ａに挿入することにより、光走査装置１００を載置面９１ｂと平行な方向において画像形成装置１の本体２に対して位置決めする。光学箱１１０の取り付け座面１１０ｂを載置面９１ｂ上に当接することにより、光走査装置１００を載置面９１ｂに垂直な方向において画像形成装置１の本体２に対して位置決めする。光走査装置１００が本体２に対して位置決めされたときに、光学箱１１０の奥側固定部１１０ｃは、奥側固定部材１７０の下に挿入されている。
【００３７】
引っ張りバネ（付勢手段）１７４は、固定部１１０ｃの近傍で奥側固定部材１７０に接続されている。引っ張りバネ１７４は、光走査装置１００が非固定状態にあるときに、奥側固定部材１７０が光学箱１１０の奥側固定部１１０ｃに係合しないように奥側固定部材１７０を退避させる。奥側固定部材１７０が奥側固定部１１０ｃに係合する位置まで変位させられるときに発生する引っ張りバネ１７４の反力（付勢力）は、引っ張りバネ１７１が密着状態で発生することができる反力（初期張力）より小さくなるように設定されている。
【００３８】
なお、奥側固定部材１７０を奥側固定部１１０ｃから離れる方向へ付勢する付勢手段は、引っ張りバネ１７４に限定されるものではない。付勢手段は、奥側固定部材１７０を奥側固定部１１０ｃから離れる方向へ付勢する圧縮バネ、ゴム等の弾性部材であってもよい。
【００３９】
図４（ａ）において、手前側固定部材１７２は、光学箱１１０の手前側固定部１１０ｄに係合しておらず、引っ張りバネ１７１は縮んで密着状態になっている。奥側固定部材１７０は、引っ張りバネ１７４により上方へ退避しており光学箱１１０の奥側固定部１１０ｃに係合していない。非固定状態において、実施例１と同様に、光走査装置１００と載置部９１との間には光走査装置１００の自重による摩擦力以外は存在しないので、固定機構２４０が位置決め作業に支障を来すことはない。従って、光走査装置１００の取り付け作業において、光学箱１１０が変形することや位置決めピン１１０ａが削れて損傷することを防止できる。
【００４０】
次に、図４（ｂ）に示すように、手前側固定部材１７２を光学箱１１０の手前側固定部１１０ｄに係合されるために手前側固定部材１７２を変位させると、引っ張りバネ１７１を介して奥側固定部材１７０も変位する。このとき、引っ張りバネ１７１の初期張力は、引っ張りバネ１７４の反力より大きいので、引っ張りバネ１７１は、奥側固定部材１７０が光学箱１１０の奥側固定部１１０ｃに係合するまで密着状態を保持することができる。奥側固定部材１７０が奥側固定部１１０ｃに係合した後、引っ張りバネ１７１の反力により光学箱１１０の奥側ＦＳの取り付け座面１１０ｂは、載置部９１に押しつけられる。奥側固定部材１７０は、取り付け座面１１０ｂの反対側から又はその近傍で光走査装置１００を載置部９１に押圧する。図４（ｂ）に示すように、手前側固定部材１７２が光学箱１１０の手前側固定部１１０ｄに係合した状態において、引っ張りバネ１７１の反力により光学箱１１０の手前側ＮＳの取り付け座面１１０ｂも載置部９１に押しつけられる。手前側固定部材１７２は、取り付け座面１１０ｂの反対側から又はその近傍で光走査装置１００を載置部９１に押圧する。このようにして、光走査装置１００は、固定機構２４０により載置部９１に固定される。
【００４１】
本実施例によれば、光学箱１１０の奥側固定部１１０ｃと手前側固定部１１０ｄに係合する奥側固定部材１７０と手前側固定部材１７２の部分は、ワイヤ部材で形成されている。しかし、奥側固定部１１０ｃと手前側固定部１１０ｄに係合する奥側固定部材１７０と手前側固定部材１７２の部分をワイヤ部材ではなく剛体の別部材で構成してもよい。
【００４２】
奥側固定部材１７０と手前側固定部材１７２を２つの引っ張りバネ１７１で接続しているが、一方の引っ張りバネ１７１を省略して奥側固定部材１７０の一端部と手前側固定部材１７２の一端部を直接接続してもよい。あるいは、奥側固定部材１７０と手前側固定部材１７２を一体に形成してもよい。
【００４３】
本実施例によれば、画像形成装置１に対し光走査装置１００を位置決めした後、固定機構２４０は、手前側固定部材１７２による手前側固定部１１０ｄの押圧動作に連動して奥側固定部材１７０により奥側固定部１１０ｃを押圧させることができる。すなわち、固定機構２４０の連動部材は、手前側固定部材１７２により光走査装置１００を載置部９１に押圧させるための手前側固定部材１７２の移動に連動して、奥側固定部材１７０により光走査装置１００を載置部９１に押圧させる。固定機構２４０により手前側固定部材１７２と奥側固定部材１７０を同時に固定することができるので、光走査装置１００の着脱作業性が良く、位置決めピン１１０ａの損傷も防止できる。
【００４４】
本実施例において、固定機構１４０及び２４０は、光走査装置１００を画像形成装置１の本体２に固定する。しかし、固定機構１４０及び２４０は、光走査装置１００に限らず、レンズ、ミラー、光源または受光素子等の光学素子を保持する光学ユニットを本体２に固定するために用いることもできる。
【符号の説明】
【００４５】
１・・・画像形成装置
９１・・・載置部（装着部）
１００・・・光走査装置（光学ユニット）
１１０ａ・・・位置決めピン（位置決め手段）
１１０ｂ・・・取り付け座面（基準当接部）
１２１、１７２・・・手前側固定部材（第２の押圧部）
１２６、１７０・・・奥側固定部材（第１の押圧部）
Ｘ・・・差し込み方向
【図１】
2016097513.tif 000003
【図２】
2016097513.tif 000004
【図３】
2016097513.tif 000005
【図４】
2016097513.tif 000006
【図５】
2016097513.tif 000007
【図６】
2016097513.tif 000008
【図７】
2016097513.tif 000009